(57)【要約】      （修正有）【課題】空気中に含まれるウイルス・細菌類を殺菌することを目的として使用される殺菌灯収容装置を提供する。【解決手段】箱体状に形成された内部に、殺菌灯収容空間１１が形成されてなる本体７と、本体７の左右端壁４、５の中央を貫通してなる通気孔部６と、左右端壁４、５の両側辺をそれぞれ連接する第一側壁・第二側壁と、本体７の第一側壁を開口して形成されてなるメンテナンス口１５と、メンテナンス口１５の枠１６に対して、周縁が着脱可能な固定部材によって固定されてなるとともに、固定部材を解除することで、外方に向かって取外し可能なカバー部とを備え、殺菌灯収容空間１１を構成する上壁の内側面、下壁の内側面又は第二側壁の内側面の少なくとも１つには、殺菌灯１０Ｂを取付できる取付台１７が止着され、カバー部の中央部には、本体７の内部を視認できるようのぞき穴が形成される。【選択図】図５
0003231577.tif 000002
【実用新案登録請求の範囲】
【請求項１】
箱体状に形成された内部に、殺菌灯収容空間が形成されてなる本体と、
前記本体の左右端壁の中央を貫通してなる通気孔部と、
前記本体の第一側壁を開口して形成されてなるメンテナンス口と、
前記メンテナンス口の枠に対して、周縁が着脱可能な固定部材によって固定されてなるとともに、前記固定部材解除することで、外方に向かって取外し可能なカバー部とを備え、
前記殺菌灯収容空間を構成する上壁の内側面、下壁の内側面又は第二側壁の内側面の少なくとも１つには、殺菌灯を取付できる取付台が止着され、
前記カバー部の中央部には、前記本体の内部を視認できるようのぞき穴が形成されてなる
ことを特徴とする殺菌灯収容装置。
【請求項２】
前記取付台に殺菌灯が取付られた
ことを特徴とする請求項１に記載された殺菌灯収容装置。
【考案の詳細な説明】
【技術分野】
【０００１】
本考案は、空気中に含まれるウイルス・細菌類を殺菌することを目的として使用される殺菌灯収容装置に関する。
【背景技術】
【０００２】
従来、ダクト内を通過する空気中に含まれる細菌類を殺菌することを目的として使用される殺菌装置は、特許文献１に記載ものが知られている。当該発明は、空調機とダクトを持った空調システムに於ける空気の殺菌方法において、前記ダクト内部のダクト入口付近に殺菌手段を配設したもので、前記殺菌手段は、向かい合わせに二組配設しており、更に、前記ダクトに、前記殺菌手段を交換する為の交換手段を配設しており、紫外線殺菌灯が点灯しなくなった場合、交換窓のストッパーを外し、蝶番の部分で回転させることによって紫外線殺菌灯をダクトの外部に露出させ容易に紫外線殺菌灯を交換する構造になっている。
【先行技術文献】
【特許文献】
【０００３】
【特許文献１】特開平１１−１４１３０
【考案の概要】
【考案が解決しようとする課題】
【０００４】
しかし、従来の構造では、各殺菌灯の背面に交換窓を配設しなければならず、殺菌灯交換時の作業効率が低下する。
【課題を解決するための手段】
【０００５】
そこで、上記課題を解決するための手段として本考案に係る殺菌灯収容装置は、殺菌灯収容装置自体をパーツ化したもので、箱体状に形成された内部に、殺菌灯収容空間が形成されてなる本体と、前記本体の左右端壁の中央を貫通してなる通気孔部と、前記本体の第一側壁を開口して形成されてなるメンテナンス口と、前記メンテナンス口の枠に対して、周縁が着脱可能な固定部材によって固定されてなるとともに、前記固定部材解除することで、外方に向かって取外し可能なカバー部とを備え、前記殺菌灯収容空間を構成する上壁の内側面、下壁の内側面又は第二側壁の内側面の少なくとも１つには、殺菌灯を取付できる取付台が止着され、前記カバー部の中央部には、前記本体の内部を視認できるようのぞき穴が形成されてなり、前記取付台に殺菌灯が取付られたことを特徴とする。
【０００６】
前記本体の材質としては、樹脂又は金属等の素材を採用することができる。
【０００７】
さらに、耐久性及び耐食性を備えた素材を用いることが前記本体の使用状態からみてより好ましい。
【０００８】
前記カバー部の材質としては、樹脂又は金属等の素材を採用することができ、耐久性及び耐食性を備えた素材を用いるのがより好ましい。
【０００９】
前記通気孔部の形状は、ダクトの形状に合わせて円環又は矩形であってもよい。
【００１０】
前記固定部材による固定方法は、使用時に前記カバー部が誤って落下するのを防止するため、確実な固定方法であることが好ましく、ねじ止めの他、面ファスナーや磁石によるものでもよい。
【００１１】
前記取付台は、前記殺菌灯収容空間を構成する上壁の内側面、下壁の内側面又は第二側壁の内側面の少なくとも１つに複数止着されていてもよい。取付できる殺菌灯の数が増え、殺菌効果が向上するからである。
【００１２】
前記殺菌灯灯収容装置は、ダクト上に連続して又は一定の間隔をあけて複数配設されていてもよい。殺菌灯の数が増え、殺菌効果が向上するからである。
【考案の効果】
【００１３】
本考案に係る殺菌灯収容装置によれば、殺菌灯を備えたパーツとして取り扱うことができ、カバー部を取り外すことで、殺菌灯収容空間全体にアクセスすることができ、複数の殺菌灯が取り付けられているような場合であっても。一度のメンテナンスで複数の殺菌灯を交換することができ、作業効率が向上する。
【図面の簡単な説明】
【００１４】
【図１】本考案に係る実施形態を示す正面図である。
【図２】本考案に係る実施形態を示す左側面図である。
【図３】本考案に係る実施形態を示す平面図である。
【図４】本考案に係る実施形態を示す殺菌灯収容装置から取り外されたカバー部を示す正面図である。
【図５】本考案に係る実施形態を示す殺菌灯収容装置のカバー部が取り外された状態を示す正面図である。
【図６】殺菌灯を取付台から取り外した状態を示すA−A拡大断面図である。
【図７】殺菌灯を取付台に取り付けた状態を示すA−A拡大断面図である。
【図８】本考案に係る実施形態を示す概略図である。
【図９】本考案に係る実施形態を示す斜視図である。
【図１０】本考案に係る殺菌灯収容装置１を設置する建物の間取り図の一例である。
【図１１】本考案に係る実施形態を示す殺菌用器具の平面図である。
【図１２】本考案に係る実施形態を示す殺菌用器具のB―B拡大断面図である。
【考案を実施するための形態】
【００１５】
以下、本考案に係る実施の形態を、図を参照しながら説明する。なお、本明細書及び図面において、実質的に同一の機能構成を有する構成要素については、同一の符号を付することにより重複説明を省略する。
【００１６】
本考案に係る実施形態は、空調・換気・排煙などを目的として、ダクト３に連結して使用する殺菌灯収容装置１であって、左右端壁４，５が通気孔部６によって貫通した本体７の内部には、殺菌灯１０Ｂを取り付けるための取付台１７が取り付けられ、前記本体７の第一側壁８を取り外し可能なカバー部９とを有する。以下、前記構成を有する本考案に係る殺菌灯収容装置１の形態について図を参照しながら詳説する。
【００１７】
図１は、本考案に係る実施形態を示す正面図である。図１に示すように、箱体状に形成された前記本体７の前記第一側壁８には、前記カバー部９が取り付けられている。前記本体７の内部には、前記殺菌灯１０Ｂを収容するための殺菌灯収容空間１１が形成されている。前記カバー部９の周縁は、着脱可能な固定部材１１によって前記本体７に固定されている。なお、本考案に係る実施形態においては、着脱可能な固定部材１２としてねじを採用するが、その他、面ファスナーや磁石によるものでもよく、本考案の使用時に、前記カバー部９が誤って落下するのを防止するため、確実な固定方法であればよい。
【００１８】
図２は、本考案に係る実施形態を示す左側面図である。図２に示すように、前記本体７の左右端壁４，５の中央には、前記本体７を貫通してなる前記通気孔部６を備える。前記通気孔部６の形状は円形の他、矩形であってもよく、ダクト３の形状に合わせて連結できる形状とする。なお、本考案に係る実施形態においては、図１に示すように前記通気孔部６は、外方に向かって立設されてなる連結部であり、ダクト３と連結する。
【００１９】
図３は、本考案に係る実施形態を示す平面図である。前記左右端壁４，５の上端には、外方に向かって突出した固定具１３を備える。前記固定具１３により、前記殺菌灯収容装置１を天井又は屋根裏に固定する。使用中に前記殺菌灯収容装置１を落下させないためである。
【００２０】
図４は、本考案に係る実施形態を示す前記カバー部９である。前記カバー部９の周縁には着脱可能な前記固定部材１２としてねじを採用している。また、前記カバー部９の中央部には、前記殺菌灯収容空間１１に収容された前記殺菌灯１０Ｂを視認できるのぞき穴１４を備える。前記のぞき穴１４から前記殺菌灯１０Ｂの点灯状態を確認できるからである。なお、前記のぞき穴１４の形状は矩形の他、円形であってもよい。
【００２１】
図５は、本考案に係る実施形態を示す前記カバー部９が取り外された状態の正面図である。前記カバー部９を前記本体７から取り外すことで、前記本体７の第一側壁８を開口したメンテナンス口１５が形成される。前記メンテナンス口１５の枠１６に、前記カバー部９を嵌め込み、前記固定部材１２により固定させることで、前記カバー部９は前記本体７に固定される。また、前記固定部材１２を解除することで、前記本体７の第一側壁８を開口して形成された前記メンテナンス口１５より前記殺菌灯収容空間１１にアクセスすることができる。なお、図９に示すように、本考案に係る実施形態では、着脱可能な前記固定部材１２としてねじを採用しているため、前記メンテナンス口１５の枠１６には、当該ねじに対応するねじ穴を設ける。
【００２２】
図６は、本考案に係る実施形態を示す前記取付台１７のA−A拡大断面図である。前記殺菌灯収容空間１１を構成する下壁の内側面１８及び第二側壁の内側面１９には、前記殺菌灯１０Ｂを取り付けるための左右一対の取付台１７が止着されている。また、前記殺菌灯収容空間１１に複数の殺菌灯１０Ｂを取り付け、殺菌効果を向上させるため、上壁の内側面２０においても前記取付台１７を止着してもよい。前記取付台１７の止着方法としては、前記殺菌灯１０Ｂを支持するため、前記下壁の内側面１８及び前記第二側壁の内側面１９に確実に固定されていることがより好ましい。なお、本考案に係る実施形態において、前記取付台１７の止着方法としては着脱可能なねじ止めを採用する。
【００２３】
図７は、本考案に係る実施形態を示す前記殺菌灯１０Ｂを前記取付台１７に取り付けた状態のＡ−Ａ拡大断面図である。前記殺菌灯収容空間１１を構成する前記下壁の内側面１８及び前記第二側壁の内側面１９には、左右一対の前記取付台１７が止着されている。図１１に示すように、両端に前記殺菌灯１０Ｂの端部を収容するソケット１０Ｄが立設された殺菌用器具１０Ａが前記取付台１７に取り付けられる。前記殺菌用器具１０Ａの取付方法としては、ねじ止めを採用する。また、前記殺菌用器具１０Ａには、前記殺菌灯１０Ｂを有効に点灯させるため、グローランプ１０Ｃが取り付けられていてもよい。図１２示すように、前記ソケット１０Ｄに前記殺菌灯を嵌め込むことで、前記殺菌灯１０Ｂは前記取付台１７に支持される。
【００２４】
図８は、本考案に係る実施形態を示す概略図である。天井裏において、吸気口２１、ダクトファン２２、前記固定具１３により、屋根裏に固定された前記殺菌灯収容装置1の左右端壁４，５、及び排気口２３が前記ダクト３により連結されている。
まず、前記ダクト３に連結された前記ダクトファン２２が回転することにより、前記ダクト３内に気流が発生する。そして、前記ダクト３内に設けられた前記ダクトファンの回転により、前記吸気口２１から吸い込まれた室内の汚染された空気が、前記ダクト３を通過して、前記殺菌灯収容装置1の前記殺菌灯収容空間１１に送り込まれる。次に、前記殺菌灯収容空間１１内に備えられた前記殺菌灯１０Ｂにより、前記殺菌灯収容装置1内を通過する空気を殺菌する。最後に殺菌された空気が前記ダクト３を通じ、前記ダクトファン２２を通り抜け、前記排気口２３より室内に再び排出される。
また、前記殺菌灯収容装置１の取付場所によっては、前記ダクト３を複数に分岐してもよく、前記排気口２３も複数配設されていてもよい。
さらに、前記殺菌灯収容空間１１へゴミ等が流入することを防ぐため、前記吸気口２１にフィルターを取り付けもよい。
【００２５】
図１０は、本考案に係る殺菌灯収容装置１を設置する建物の間取り図の一例である。この図において、２１は吸気口を示し、２３は排気口を示している。吸気口２１と排気口２３の間にダクト３が配設されており、前記殺菌灯収容装置１及びダクトファン２２が前記ダクト３に連結されている。ダクトファン２２により、前記吸気口２１付近に集められた汚染された空気が前記ダクト３を通じて前記殺菌灯収容空間１１に流入され、殺菌灯１０Ｂにより殺菌された空気が前記排気口２３より排気される。その後、排気された空気は、室内を通じて吸気口２１付近に再度集められる。これを繰り返すことにより、室内の空気を有効に殺菌することができる。
この図の場合は、室容積がおよそ１００立方メートルであり、前記ダクトファン２２を最大回転させることで、約１０分間で室内の空気が殺菌されることになっており、１時間で６回これを繰り返す。
【００２６】
以下、上記の構成を有する本考案に係る殺菌灯収容装置１の使用方法について、図を参照しながら詳説する。
【００２７】
図８に示すように、使用者は、天井裏において、前記固定具１３により、屋根裏に固定された前記殺菌灯収容装置１の前記カバー部９の中央部に設けられた前記のぞき穴１４より前記殺菌灯収容空間１１に収容された前記殺菌灯１０Ｂの光度や点滅具合を視認する。
【００２８】
前記殺菌灯１０Ｂに何らかの不具合ある場合、使用者は、前記カバー部９の周縁に着脱可能な固定部材１２として採用されたねじ止めを解除することで、前記カバー部９を前記本体７より外方に向かって取り外すことができる。
【００２９】
図５に示すように、前記カバー部９が取り外されると、前記本体７の前記第一側壁８を開口して形成された前記メンテナンス口１５より、前記殺菌灯収容空間１１にアクセスすることができる。
【００３０】
その後、前記下壁の内側面１８及び前記第二側壁の内側面１９に止着された前記取付台１７に支持された前記殺菌用器具１０Ａから不具合ある殺菌灯１０Ｂを前記殺菌用器具１０Ａより取外し、新たな殺菌灯１０Ｂと交換する。
【００３１】
前記殺菌灯１０Ｂを交換する際（不具合のある前記殺菌灯１０Ｂを前記殺菌用器具１０Ａから取り外し、新たな殺菌灯１０Ｂが前記殺菌用器具１０Ａに取り付けるとき）は、前記殺菌灯収容空間１１内で行われるため、使用者が前記殺菌灯１０Ｂを誤って天井裏内又は室内に落下させることなく安全に交換が行える。
【００３２】
さらに、前記カバー部９を取り外すことで、殺菌灯収容空間１１全体にアクセスすることができ、複数の前記殺菌灯１０Ｂが取り付けられているような場合であっても、一度のメンテナンスで複数の前記殺菌灯１０Ｂを交換することができ、作業効率が向上する。
また、前記殺菌用器具１０Ａに取り付けられたグローランプ１０Ｃも適宜交換することができ、更なる作業効率の向上が期待される。
【００３３】
前記殺菌灯１０Ｂの交換を終えると、使用者は、前記カバー部９を前記メンテナンス口１５の枠１６に嵌めこみ、ねじ止めにより前記カバー部９を前記本体７に固定する。
前記カバー部９を前記本体７固定することにより、本考案に係る殺菌灯収容装置１に係る前記殺菌灯収容空間１１は、密閉状態となり、設置場所を気にすることなく安全に高出力の殺菌灯を使用することができる。
【００３４】
本考案に係る殺菌灯収容装置１は、上記の実施形態に限られず、例えば、前記殺菌灯収容空間１１を構成する前記上壁の内側面２０又は前記カバー部の内側面９Ａにおいても前記取付台１７が止着されていてもよい。前記殺菌灯収容空間１１内に取り付けられる前記殺菌灯１０Ｂの数が増え、殺菌効果が向上するからである。
また、さらに殺菌効果を向上させるべく、前記殺菌灯収容空間１１を構成する内周面のうち、少なくとも前記殺菌灯１０Ｂと対向する面を鏡面仕上げにするのが望ましい。
また、一般的な事務所等の天井裏に前記本体７を設置する場合、前記本体７の大きさは、４０〜５０×４０〜５０×９０〜１００センチ程度が好ましい。
また、工場、倉庫、大規模商業施設等には、より大型な前記本体７の設置が可能であり、その場合は、１００×１００×１００〜２００センチ程度のものでもよい。
また、個人用として使用する場合は、１０ワットや１５ワットの前記殺菌灯１０Ｂが使用されることに鑑み、小型な前記本体７の設置が可能であり、その場合は、２０×２０×４０センチ程度のものでもよい。
このように、幅広い用途で使用される事情から、前記本体7の大きさを適宜大型化若しくは小型化することで、適合する設置場所が増え、利便性向上を図る。
【符号の説明】
【００３５】
１殺菌灯収容装置
３ダクト
４左端壁
５右端壁
６通気孔部
７本体
８第一側壁
９カバー部
９Ａカバー部の内側面
１０Ａ殺菌用器具
１０Ｂ殺菌灯
１０Ｃグローランプ
１０Ｄソケット
１１殺菌灯収容空間
１２固定部材
１３固定具
１４のぞき穴
１５メンテナンス口
１６枠
１７取付台
１８下壁の内側面
１９第二側壁の内側面
２０上壁の内側面
２１吸気口
２２ダクトファン
２３排気口
【図１】
0003231577.tif 000003
【図２】
0003231577.tif 000004
【図３】
0003231577.tif 000005
【図４】
0003231577.tif 000006
【図５】
0003231577.tif 000007
【図６】
0003231577.tif 000008
【図７】
0003231577.tif 000009
【図８】
0003231577.tif 000010
【図９】
0003231577.tif 000011
【図１０】
0003231577.tif 000012
【図１１】
0003231577.tif 000013
【図１２】
0003231577.tif 000014
【手続補正書】
【提出日】令和3年1月22日(2021.1.22)
【手続補正１】
【補正対象書類名】実用新案登録請求の範囲
【補正対象項目名】請求項１
【補正方法】変更
【補正の内容】
【請求項１】
左右端壁と、  前記左右端壁の両側辺をそれぞれ連接する第一側壁・第二側壁と、  前記左右端壁の上辺を連接する上壁と、  前記左右端壁の下辺を連接する下壁とからなる箱体状が形成され、  該箱体状に形成された内部に、殺菌灯収容空間が形成されてなる本体と、  前記本体の左右端壁の中央をそれぞれ貫通してなる通気孔部と、  前記本体の第一側壁を開口して形成されてなるメンテナンス口と、  前記メンテナンス口の枠に対して、周縁が着脱可能な固定部材によって固定されてなるとともに、前記固定部材を解除することで、外方に向かって取外し可能なカバー部とを備え、  前記殺菌灯収容空間を構成する上壁の内側面、下壁の内側面又は第二側壁の内側面の少なくとも１つには、殺菌灯を取付できる取付台が止着され、  前記カバー部の中央部には、前記本体の内部を視認できるようのぞき穴が形成されてなることを特徴とする殺菌灯収容装置。
【手続補正２】
【補正対象書類名】明細書
【補正対象項目名】０００５
【補正方法】変更
【補正の内容】
【０００５】  そこで、上記課題を解決するための手段として本考案に係る殺菌灯収容装置は、殺菌灯収容装置自体をパーツ化したもので、左右端壁と、前記左右端壁の両側辺をそれぞれ連接する第一側壁・第二側壁と、前記左右端壁の上辺を連接する上壁と、前記左右端壁の下辺を連接する下壁とからなる箱体状が形成され、該箱体状に形成された内部に、殺菌灯収容空間が形成されてなる本体と、前記本体の左右端壁の中央をそれぞれ貫通してなる通気孔部と、前記本体の第一側壁を開口して形成されてなるメンテナンス口と、前記メンテナンス口の枠に対して、周縁が着脱可能な固定部材によって固定されてなるとともに、前記固定部材を解除することで、外方に向かって取外し可能なカバー部とを備え、前記殺菌灯収容空間を構成する上壁の内側面、下壁の内側面又は第二側壁の内側面の少なくとも１つには、殺菌灯を取付できる取付台が止着され、前記カバー部の中央部には、前記本体の内部を視認できるようのぞき穴が形成されてなることを特徴とする。
【手続補正３】
【補正対象書類名】明細書
【補正対象項目名】００１３
【補正方法】変更
【補正の内容】
【００１３】  本考案に係る殺菌灯収容装置によれば、殺菌灯を備えたパーツとして取り扱うことができ、カバー部を取り外すことで、殺菌灯収容空間全体にアクセスすることができ、複数の殺菌灯が取り付けられているような場合であっても、一度のメンテナンスで複数の殺菌灯を交換することができ、作業効率が向上する。
【手続補正４】
【補正対象書類名】明細書
【補正対象項目名】００１６
【補正方法】変更
【補正の内容】
【００１６】  本考案に係る実施形態は、空調・換気・排煙などを目的として、ダクト３に連結して使用する殺菌灯収容装置１であって、左右端壁４，５と、前記左右端壁４，５の両側辺をそれぞれ連接する第一側壁８・第二側壁と、前記左右端壁４，５の上辺を連接する上壁と、前記左右端壁の下辺を連接する下壁とからなる箱体状が形成され、該箱体状に形成された内部に、殺菌灯収容空間１１が形成されてなる本体７と、左右端壁４，５の中央が通気孔部６によってそれぞれ貫通し、本体７の内部には、殺菌灯１０Ｂを取り付けるための取付台１７が取り付けられ、前記本体７の第一側壁８を取り外し可能なカバー部９とを有する。以下、前記構成を有する本考案に係る殺菌灯収容装置１の形態について図を参照しながら詳説する。
【手続補正５】
【補正対象書類名】明細書
【補正対象項目名】００１８
【補正方法】変更
【補正の内容】
【００１８】図２は、本考案に係る実施形態を示す左側面図である。図２に示すように、前記本体７の左右端壁４，５の中央にはそれぞれ、前記本体７を貫通してなる前記通気孔部６を備える。前記通気孔部６の形状は円形の他、矩形であってもよく、ダクト３の形状に合わせて連結できる形状とする。なお、本考案に係る実施形態においては、図１に示すように前記通気孔部６は、外方に向かって立設されてなる連結部であり、ダクト３と連結する。